(57)【要約】      （修正有）【課題】便座を使用する際の快適性を向上させる分離式洗浄便座を提供する。【解決手段】分離式洗浄便座は、便座３及び本体４を備える。本体４は、便座３の後端に設けられ、ノズルを有する伸縮機構を収納する固定部分４１と、水加熱装置、モータ、ポンプ及び制御回路を収納する分離部分４２とを有する。固定部分４１は、排水管４３及び制御ライン４４により、分離部分４２と接続されている。【選択図】図３
0003158636.tif 000002
【実用新案登録請求の範囲】
【請求項１】
便座及び本体を備える分離式洗浄便座であって、
前記本体は、前記便座の後端に設けられ、ノズルを有する伸縮機構を収納する固定部分と、
水加熱装置、モータ、ポンプ及び制御回路を収納する分離部分と、を有し、
前記固定部分は、排水管及び制御ラインにより、前記分離部分と接続されていることを特徴とする、分離式洗浄便座。
【請求項２】
前記本体の前記分離部分にある前記排水管は、保温材料で覆われていることを特徴とする、請求項１に記載の分離式洗浄便座。
【請求項３】
前記本体の前記分離部分が有する前記制御回路は、外部制御器により制御することを特徴とする、請求項１に記載の分離式洗浄便座。
【請求項４】
前記本体の前記分離部分には、漏電遮断器を配置することを特徴とする、請求項１に記載の分離式洗浄便座。
【請求項５】
前記本体の前記分離部分には、電源を自動的にオフにするタイマーを設けることを特徴とする、請求項１に記載の分離式洗浄便座。
【請求項６】
前記本体の前記分離部分が有する水加熱装置は、水を供給する水道管と接続された給水管と、前記本体の前記固定部分が有するノズルと接続された前記排水管と、を有することを特徴とする、請求項１に記載の分離式洗浄便座。
【請求項７】
前記固定部分には、前記ノズルを有する前記伸縮機構及び乾燥装置が収納されていることを特徴とする、請求項１に記載の分離式洗浄便座。
【請求項８】
前記給水管は、前記水道管と接続する箇所にクイック継手を有し、
前記排水管は、前記固定部分と接続する箇所にクイック継手を有することを特徴とする、請求項６に記載の分離式洗浄便座。
【請求項９】
前記外部制御器は、無線で制御することを特徴とする、請求項３に記載の分離式洗浄便座。
【考案の詳細な説明】
【技術分野】
【０００１】
本考案は、洗浄便座に係り、特に、分離式洗浄便座に関する。
【背景技術】
【０００２】
一般に排便した後、トイレットペーパーにより肛門を拭き取るが、きれいに拭き取ることができず、肛門及びその周辺部位に大量の細菌が残ることがあった。そのため、身体が不快となる上、細菌が増殖して身体の健康に悪影響を与える虞があった。さらには痔などの病気にかかっている者は、トイレットペーパーで肛門部分を強く拭き取った場合、痛みが増し、悪化する虞もあった。
【０００３】
そのため、上述した従来の問題を解決することができる洗浄便座が開発されている。この洗浄便座は、排便が終了した後、肛門及びその周辺部位を水により洗い流すことにより清潔に保持していた。痔、便秘などの病気にかかっている患者は、排便後に肛門を温水で３〜５分間洗うと、肛門部分の血液循環が改善し、痔の症状を和らげ、排便がよりスムーズとなることが医学研究の結果分かっている。また、痛みを和らげたり血液循環を良くするために、水を加熱して温水にしたり、便座を温めたりする機能を備えた洗浄便座があった。
【０００４】
図１に示すように、洗浄便座１は、便座１１、本体１２及び制御ボックス１３を含む。本体１２は、便座１１の後端の箇所に取り付けられ、ノズルを有する伸縮機構、水加熱装置、モータ、ポンプなど（図示せず）を収納するために用いる。制御ボックス１３は、側部に設けられていることが多い。しかし、上述の構造には、以下のような欠点があった。
【０００５】
本体１２は、多くの機械構造を含んで体積が大きいため、便座１１の後端に配置する必要があった。また、人体の器官位置に応じてノズルを伸ばし、肛門及びその周辺部位を洗い流すのに便利なように、ユーザは便座１１の前側に座る必要があった。そのため、図２に示すように、排泄物の落下位置は、水が溜まっている便器２の排水口２１の箇所ではなく、便器２の内壁面に落下して付着し、清掃の手間が増えて不便となることがあった。
【０００６】
また、従来の洗浄便座は、制御ボックス１３が側部に配置されているため、足部を置く空間が狭くなり、使用時の快適性及び利便性が低下した。
【０００７】
機械構造及び加熱装置の収納により洗浄便座の本体が大きくなり、便座を使用する際の快適性が低くなる問題点を解決する洗浄便座が求められていた。
【考案の概要】
【考案が解決しようとする課題】
【０００８】
本考案は上述の点に鑑みて為されたもので、その目的は、便座を使用する際の快適性を向上させる分離式洗浄便座を提供することにある。
【課題を解決するための手段】
【０００９】
上記課題を解決するために、本考案の第１の形態によれば、便座及び本体を備える分離式洗浄便座であって、前記本体は、前記便座の後端に設けられ、ノズルを有する伸縮機構を収納する固定部分と、水加熱装置、モータ、ポンプ及び制御回路を収納する分離部分と、を有し、前記固定部分は、排水管及び制御ラインにより、前記分離部分と接続されていることを特徴とする分離式洗浄便座。
【００１０】
また、前記本体の前記分離部分が有する前記排水管は、保温材料で覆われていることが好ましい。
【００１１】
また、前記本体の前記分離部分が有する前記制御回路は、外部制御器により制御することが好ましい。
【００１２】
また、前記本体の前記分離部分には、漏電遮断器を配置することが好ましい。
【００１３】
また、前記本体の前記分離部分には、電源を自動的にオフにするタイマーを設けることが好ましい。
【００１４】
また、前記本体の前記分離部分が有する水加熱装置は、水を供給する水道管と接続された給水管と、前記本体の前記固定部分が有するノズルと接続された前記排水管と、を有することが好ましい。
【００１５】
また、前記固定部分には、前記ノズルを有する前記伸縮機構及び乾燥装置が収納されていることが好ましい。
【００１６】
また、前記給水管は、前記水道管と接続する箇所にクイック継手を有し、前記排水管は、前記固定部分と接続する箇所にクイック継手を有することが好ましい。
【００１７】
また、前記外部制御器は、無線で制御することが好ましい。
【考案の効果】
【００１８】
本考案の分離式洗浄便座は、便座を使用する際の快適性を向上させることができる。
【図面の簡単な説明】
【００１９】
【図１】従来の洗浄便座を便器に結合したときの状態を示す斜視図である。
【図２】従来の洗浄便座を使用するときの状態を示す側面図である。
【図３】本考案の一実施形態による分離式洗浄便座を示す分解斜視図である。
【図４】本考案の一実施形態による分離式洗浄便座を便器に結合したときの状態を示す斜視図である。
【図５】本考案の一実施形態による分離式洗浄便座を使用するときの状態を示す側面図である。
【図６】本考案の一実施形態による排水管を示す断面図である。
【考案を実施するための形態】
【００２０】
以下、本考案の実施形態について図に基づいて説明する。なお、これによって本考案が限定されるものではない。
【００２１】
図３を参照する。図３に示すように、本考案の一実施形態による分離式洗浄便座は、便座３及び本体４を含む。本体４は、便座３の後端に設けられ、ノズルを有する伸縮機構又は乾燥機構（図示せず）を収納するために用いる固定部分４１と、水加熱装置、モータ、ポンプ及び制御回路（図示せず）を収納するために用いる分離部分４２と、を含む。
【００２２】
固定部分４１と分離部分４２とは、排水管４３及び制御ライン４４を介して接続されている。水加熱装置は、給水管４５を介して水道管５と接続されている。排水管４３は、本体４の固定部分４１のノズルに接続されている。
【００２３】
給水管４５は、水道管５と接続する箇所にクイック継手４７を有する。排水管４３は、固定部分４１と接続する箇所にクイック継手４８を有する。便器を清掃する際、クイック継手４７，４８を外すと分離部材４２を分離することができる。
【００２４】
制御回路は、外部制御器４９により無線又は有線により制御することができる。
【００２５】
図４に示すように、本体４の分離部分４２は、便器６の周囲の適宜な位置に設ける。便座３の後方に設けた本体４の固定部分４１には、ノズルを有する伸縮機構又は乾燥機構しか収納する必要がないため、体積を大幅に低減させることができる。そのため、便器に取り付ける便座の位置を近づけることができるようになり、便座３の位置を前に移動させる必要がない。これにより、図５に示すように、排泄物により便器が汚れずに、水が溜まった位置へ正確に落とすことができる。
【００２６】
本実施形態の分離式洗浄便座は、本体４による制限を受けなくなると、人体工学的に好ましい上、見た目が良くなる。本体４のパネルには、各種ボタン、表示ランプを装着してもよい。
【００２７】
また、図６に示すように、排水管４３を保温材料４６で覆うことにより、送水する水温を一定に維持してもよい。
【００２８】
また、本体４の分離部分４２は、大きな空間を有するため、様々な機能を付加させることができる。例えば、洗浄便座を使用している空間の湿度が高くなり、漏電することによる感電を防ぐために、分離部分４２に漏電遮断器を配置してもよい。
【００２９】
また、本体４の分離部分４２には、ユーザが電源をオフすることを忘れて便座３及び水加熱装置が常に保温状態となったときに、電源を自動的にオフにして電気が浪費されることを防ぐために用いるタイマーを設けてもよい。
【００３０】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３１】
１    洗浄便座
２    便器
３    便座
４    本体
５    水道管
６    便器
１１  便座
１２  本体
１３  制御ボックス
２１  排水口
４１  固定部分
４２  分離部分
４３  排水管
４４  制御ライン
４５  給水管
４６  保温材料
４７  クイック継手
４８  クイック継手
４９  外部制御器
【図１】
0003158636.tif 000003
【図２】
0003158636.tif 000004
【図３】
0003158636.tif 000005
【図４】
0003158636.tif 000006
【図５】
0003158636.tif 000007
【図６】
0003158636.tif 000008